(57)【要約】  本発明は、影をディスプレイ要素として活用して、独特なディスプレイ効果を得ることができる影偏光ディスプレイ装置を提供する。本発明の第一態様による影偏光ディスプレイ装置１０００は、偏光した光が放出される偏光光源８０を有し、前記偏光光源８０から離隔して配置され、前記偏光光源８０から放出された偏光した光を受けて透過させるものであって、透過する光を屈折させる装飾またはサイン部材５１を有する。前記偏光光源８０の後方には、前記の偏光光源８０の光による前記装飾またはサイン部材５１の影が投影される偏光影投影手段６０が設置される。前記偏光影投影手段６０に投影された前記装飾またはサイン部材５１の影はカラーを帯びるようになる。
2016509251.tif 000002
【特許請求の範囲】
【請求項１】
（ａ）光源と前記光源の前方に配置された第１偏光手段を含んで構成され、偏光した光を放出する偏光光源と；
（ｂ）前記偏光光源から離隔して配置され、前記偏光光源から放出された偏光した光を受けて透過させるものであって、透過する光を屈折させる装飾またはサイン部材と；
（ｃ）前記偏光光源の光の進行方向上、前記装飾またはサイン部材の後方に前記装飾またはサイン部材と離隔して位置し、前記偏光光源の光による前記装飾またはサイン部材の影が投影され、入射する光を偏光させて反射する偏光影投影手段を含んでなり、ここで、
（ｄ１）前記偏光影投影手段に投影された前記装飾またはサイン部材の影は色相を呈し、
（ｄ２）ディスプレイの対象は、前記の色相を呈する装飾またはサイン部材の影を含むことを特徴とする偏光ディスプレイ装置。
【請求項２】
前記偏光影投影手段が、影が形成される反射手段と前記反射手段の前面に設けられた第２偏光手段を含んでなることを特徴とする、請求項１に記載の偏光ディスプレイ装置。
【請求項３】
前記第２偏光手段が、前記反射手段の反射面に付着されたことを特徴とする、請求項２に記載の偏光ディスプレイ装置。
【請求項４】
前記偏光光源から放出され、前記第２偏光手段に到達した光の偏光方向と前記第２偏光手段の偏光方向は、相互に７５°〜１０５°の差を有し、好ましくは、９０°（垂直）の差を有するかまたは、前記偏光光源から放出され、前記第２偏光手段に到達した偏光した光の偏光方向と前記第２偏光手段の偏光方向は、相互に−１５°〜１５°の差を有し、好ましくは、０°（平行）の差を有することを特徴とする、請求項３に記載の偏光ディスプレイ装置。
【請求項５】
前記第１偏光手段と前記第２偏光手段が、ともに線偏光手段であり、前記第１偏光手段と第２偏光手段が相互に成す相対的な偏光方向の角度は、前記偏光光源から前記偏光影投影手段に入射し、前記偏光影投影手段の反射面で反射した光の光量が最大である場合、または、または最小である場合であることを特徴とする、請求項３に記載の偏光ディスプレイ装置。
【請求項６】
前記第１偏光手段と前記第２偏光手段が、ともに円偏光手段であることを特徴とする、請求項３に記載の偏光ディスプレイ装置。
【請求項７】
前記反射手段が、乱反射を成すものであることを特徴とする、請求項２ないし請求項６のいずれかに記載の偏光ディスプレイ装置。
【請求項８】
前記装飾またはサイン部材が、複屈折特性がないかまたは少ない透明部材に複屈折特性を有するフィルム、シート、板状の部材を結合してなることを特徴とする請求項１ないし請求項６のいずれかに記載の偏光ディスプレイ装置。
【請求項９】
前記装飾またはサイン部材をなす複屈折媒質が、セロハンフィルムか、またはＰＰ、ＰＥＴ、またはＰＣを材質としたフィルム、シートまたは板であることを特徴とする、請求項１ないし請求項６のいずれかに記載の偏光ディスプレイ装置。
【請求項１０】
前記装飾またはサイン部材を運動させる運動手段をさらに有することを特徴とする、請求項１ないし請求項６のいずれかに記載の偏光ディスプレイ装置。
【請求項１１】
（ａ）光源と；
（ｂ）前記光源から離隔して配置された装飾またはサイン部材と；ここで、前記装飾またはサイン部材は、光源から放出された光を受ける第１面と前記第１面に入射した光が透過して出ていく第２面を有する複屈折媒質と、前記複屈折媒質の第１面に設置された第１偏光手段を含んでなり、前記複屈折媒質の第１面と第２面は、平面または曲面を成すことができ、
（ｃ）前記光源から放出され、前記装飾またはサイン部材の第１偏光手段に入射して、前記第２面に透過して出ていく光が照らして、前記装飾またはサイン部材と離隔されたものであって、前記光源の光による前記装飾またはサイン部材の影が投影され、入射した光を偏光させて反射するものであって、前記光源から放出されて直接入射した光の一部を、前記装飾またはサイン部材の第２面に偏光して反射する偏光影投影手段を含んでなり、ここで、
（ｄ１）前記偏光影投影手段に投影された前記装飾またはサイン部材の影と、前記装飾またはサイン部材の第１偏光手段は、色相を呈し、
（ｄ２）前記装飾またはサイン部材と、前記偏光影投影手段に投影された前記装飾またはサイン部材の影の組み合わせがディスプレイの対象となることを特徴とする偏光ディスプレイ装置。
【請求項１２】
前記偏光影投影手段が、影が形成される反射手段と前記反射手段の前面に設けられた第２偏光手段を含んでなることを特徴とする、請求項１１に記載の偏光ディスプレイ装置。
【請求項１３】
前記第２偏光手段が、前記反射手段の反射面に付着されたことを特徴とする、請求項１２に記載の偏光ディスプレイ装置。
【請求項１４】
前記反射手段が、乱反射を成すものであることを特徴とする、請求項１１ないし請求項１３のいずれかに記載の偏光ディスプレイ装置。
【請求項１５】
前記装飾またはサイン部材を運動させる運動手段をさらに有することを特徴とする、請求項１１ないし請求項１３のいずれかに記載の偏光ディスプレイ装置。
【請求項１６】
（ａ）光源と；
（ｂ）前記光源から離隔して配置された装飾またはサイン部材と；ここで、前記装飾またはサイン部材は、光源から放出される光を受ける第１面と前記第１面に入射した光が透過して出ていく第２面を有する複屈折媒質と、前記複屈折媒質の第１面に設置された第１偏光手段を含んでなり、前記複屈折媒質の第１面と第２面は、平面または曲面を成すことができ、
（ｃ）前記装飾またはサイン部材と離隔されており、入射した光を偏光させて反射するものであって、前記光源から放出され、直接入射した光の一部を偏光させて前記装飾またはサイン部材の複屈折媒質の第２面に反射する偏光反射手段を含んでなり、ここで、
（ｄ１）前記装飾またはサイン部材の第１偏光手段は、色相を呈し、
（ｄ２）前記装飾またはサイン部材がディスプレイの必須的な対象となることを特徴とする偏光ディスプレイ装置。
【請求項１７】
前記偏光反射手段が、光を全部または一部反射する反射手段と前記反射手段の前面に設けられた第２偏光手段を含んでなることを特徴とする、請求項１６に記載の偏光ディスプレイ装置。
【請求項１８】
前記第２偏光手段が、前記反射手段の反射面に付着されたことを特徴とする、請求項１７に記載の偏光ディスプレイ装置。
【請求項１９】
前記装飾またはサイン部材を運動させる運動手段をさらに有することを特徴とする、請求項１６ないし請求項１８のいずれかに記載の偏光ディスプレイ装置。
【請求項２０】
（ａ）光源と前記光源の前方に配置された第１偏光手段を含んで構成され、偏光した光を放出する偏光光源と；
（ｂ）前記偏光光源から離隔して配置された装飾またはサイン部材と；ここで、前記装飾またはサイン部材は、偏光光源から放出される光を受ける第１面と前記第１面に入射した光が透過して出ていく第２面を有する複屈折媒質と、前記複屈折媒質の第１面に設置された第２偏光手段を含んでなり、前記複屈折媒質の第１面と第２面は、平面または曲面を成すことができ、
（ｃ）前記装飾またはサイン部材と離隔されており、入射した光を反射するものであって、前記偏光光源から放出され、直接入射した光の一部を、前記装飾またはサイン部材の複屈折媒質の第２面に反射する反射手段を含んでなり、ここで、
（ｄ）前記装飾またはサイン部材の第２偏光手段は、色相を呈し、
（ｅ）前記第２偏光手段に表示される色相によって色相を有するようになる前記装飾またはサイン部材が必須的なディスプレイの対象となることを特徴とする偏光ディスプレイ装置
【請求項２１】
前記反射手段が、前記偏光光源の光の進行方向上、前記装飾またはサイン部材の後方に位置し、前記偏光光源の光による前記装飾またはサイン部材の影が投影され、前記装飾またはサイン部材と、前記装飾またはサイン部材の影の組み合わせがディスプレイの対象を成すことを特徴とする、請求項２０に記載の偏光ディスプレイ装置。
【請求項２２】
前記反射手段が、乱反射を成すものであることを特徴とする、請求項２０または請求項２１に記載の偏光ディスプレイ装置。
【請求項２３】
前記偏光光源から放出され、前記第２偏光手段に到達した光の偏光方向と前記第２偏光手段の偏光方向は、相互に７５°〜１０５°の差を有し、好ましくは、９０°（垂直）の差を有するか、または、前記偏光光源から放出され、前記第２偏光手段に到達した偏光された光の偏光方向と前記第２偏光手段の偏光方向は、相互に−１５°〜１５°の差を有し、好ましくは、０°（平行）の差を有することを特徴とする、請求項２０または請求項２１に記載の偏光ディスプレイ装置。
【請求項２４】
前記第１偏光手段と前記第２偏光手段が、ともに線偏光手段であって、前記第１偏光手段と第２偏光手段が相互に成す相対的な偏光方向の角度は、前記偏光光源から前記偏光影投影手段に入射して、前記偏光影投影手段の反射面で反射された光の光量が最大である場合、または、または最小である場合であることを特徴とする、請求項２０または請求項２１に記載の偏光ディスプレイ装置。
【請求項２５】
前記第１偏光手段と前記第２偏光手段が、ともに円偏光手段であることを特徴とする、請求項２０または請求項２１に記載の偏光ディスプレイ装置。
【請求項２６】
前記装飾またはサイン部材を運動させる運動手段をさらに有することを特徴とする、請求項２０または請求項２１に記載の偏光ディスプレイ装置。
【請求項２７】
（ａ）光源と前記光源の前方に配置された第１偏光手段を含んで構成され、偏光した光を放出する偏光光源と；
（ｂ）前記偏光光源から離隔して配置された装飾またはサイン部材と；ここで、前記装飾またはサイン部材は、偏光光源から放出される光を受ける第１面と前記第１面に入射した光が透過して出ていく第２面を有する複屈折媒質と、前記複屈折媒質の第２面に設置された第２偏光手段を含んでなり、ここで、前記複屈折媒質の第１面と第２面は、平面または曲面を成すことができ、
（ｃ）前記装飾またはサイン部材と離隔されており、前記の偏光光源から放出され、前記装飾またはサイン部材の前記複屈折媒質の第１面に入射して、前記第２偏光手段に透過して出ていく光が照らして、前記偏光光源の光による前記装飾またはサイン部材の影が投影される影投影手段を含んでなり、ここで、
（ｄ）前記影投影手段に投影された前記装飾またはサイン部材の影は色相を呈し、
（ｄ２）前記の色相を呈する装飾またはサイン部材の影が、ディスプレイの必須的な対象となることを特徴とする偏光ディスプレイ装置。
【請求項２８】
前記影投影手段が、入射した光を反射するものであって、前記偏光光源から放出され、直接入射した光の一部を、前記装飾またはサイン部材の第２偏光手段で反射して、前記の装飾またはサイン部材と、前記装飾またはサイン部材の影の組み合わせがディスプレイの対象となることを特徴とする、請求項２７に記載の偏光ディスプレイ装置。
【請求項２９】
前記影投影手段が、乱反射を成すことを特徴とする、請求項２７または請求項２８に記載の偏光ディスプレイ装置。
【請求項３０】
前記偏光光源から放出され、前記影の投影手段によって反射され、前記第２偏光手段に到達した光の偏光方向と前記第２偏光手段の偏光方向が、相互に７５°〜１０５°の差を有し、好ましくは、９０°（垂直）の差を有するか、または、前記偏光光源から放出され、前記影投影手段によって反射され、前記第２偏光手段に到達した光の偏光方向と前記第２偏光手段の偏光方向が、相互に−１５°〜１５°の差を有し、好ましくは０°（平行）の差を有することを特徴とする、請求項２８に記載の偏光ディスプレイ装置。
【請求項３１】
前記第１偏光手段と前記第２偏光手段が、ともに円偏光手段であることを特徴とする、請求項２８に記載の偏光ディスプレイ装置。
【請求項３２】
前記装飾またはサイン部材を運動させる運動手段をさらに有することを特徴とする、請求項２７または請求項２８に記載の偏光ディスプレイ装置。
【請求項３３】
（ａ）光源と前記光源の前方に配置された第１偏光手段を含んで構成され、偏光した光を放出する偏光光源と；
（ｂ）前記偏光光源から離隔して配置された装飾またはサイン部材と；ここで、前記装飾またはサイン部材は、偏光光源から放出された光を受ける第１面と前記第１面の光が透過して出ていく第２面を有する第２偏光手段と前記第２偏光手段の第１面に設けられた第１複屈折媒質と前記第２偏光手段の第２面に設けられた第２の複屈折媒質を含んでなり、前記複屈折媒質の表面は、平面または曲面を成すことができ、
（ｃ）前記装飾またはサイン部材と離隔されており、前記の偏光光源から放出され、前記装飾またはサイン部材の前記第１複屈折媒質に入射して、前記第２偏光手段と前記第２の複屈折媒質を透過して出ていく光が照らして、前記偏光光源の光による前記装飾またはサイン部材の影が投影され、入射した光を反射するものであって、前記偏光光源から放出され、直接入射した光の一部を、前記装飾またはサイン部材の第２複屈折媒質に反射する影投影手段を含んでなり、ここで、
（ｄ）前記影投影手段に投影された前記装飾またはサイン部材の影と、前記装飾またはサイン部材の第２偏光手段は、色相を呈し、
（ｅ）前記装飾またはサイン部材と、前記装飾またはサイン部材の影がなす組み合わせがディスプレイの対象となることを特徴とする偏光ディスプレイ装置。
【請求項３４】
前記影投影手段の反射面が、乱反射を成すことを特徴とする、請求項３３に記載の偏光ディスプレイ装置。
【請求項３５】
前記装飾またはサイン部材を運動させる運動手段をさらに有することを特徴とする、請求項３３または請求項３４に記載の偏光ディスプレイ装置。
【請求項３６】
（ａ）第１光源と前記第１光源の前方に配置された第１偏光手段を含んで構成され、偏光した光を放出する偏光光源と；
（ｂ）前記偏光光源がオフの時に提供される第２光源と；
（ｃ）前記偏光光源と第２光源から離隔して配置された装飾またはサイン部材と；ここで、前記装飾またはサイン部材は、偏光光源または前記第２光源から放出される光を受ける第１面と前記第１面に入射した光が透過して出ていく第２面を有する複屈折媒質と、前記複屈折媒質の第１面に設けられた第２偏光手段を含んでなり、前記複屈折媒質の第１面と第２面は、平面または曲面を成すことができ、
（ｄ）前記偏光光源と前記第２光源の光の進行方向上、前記装飾またはサイン部材の後方に前記装飾またはサイン部材と離隔して位置し、前記偏光光源または前記第２光源の光による前記装飾またはサイン部材の影が投影されて、入射した光を偏光させて反射するものであって、前記偏光光源または前記第２光源から放出され、直接入射した光の一部は、偏光させて前記装飾またはサイン部材の複屈折媒質の第２面に反射する偏光影投影手段を含んでなり、ここで、
（ｅ１）前記装飾またはサイン部材の影と、前記装飾またはサイン部材の第２偏光手段は、色相を呈し、
（ｅ２）前記装飾またはサイン部材と、前記装飾またはサイン部材の影がなす組み合わせがディスプレイの対象となることを特徴とする偏光ディスプレイ装置。
【請求項３７】
前記第２の光源が、自然光であることを特徴とする、請求項３６に記載の偏光ディスプレイ装置。
【請求項３８】
前記偏光影投影手段は、影が形成される反射手段と前記反射手段の前面に設けられた第３偏光手段を含んでなることを特徴とする、請求項３６または請求項３７に記載の偏光ディスプレイ装置。
【請求項３９】
前記第３偏光手段が、前記反射手段の反射面に付着されたことを特徴とする、請求項３８に記載の偏光ディスプレイ装置。
【請求項４０】
前記反射手段が、乱反射を成すことを特徴とする、請求項３９に記載の偏光ディスプレイ装置。
【請求項４１】
前記装飾またはサイン部材を運動させる運動手段をさらに有することを特徴とする、請求項３６ないし請求項４０のいずれかに記載の偏光ディスプレイ装置。
【請求項４２】
（ａ）光源と前記光源の前方に配置された第１偏光手段を含んで構成され、偏光した光を放出する偏光光源と；
（ｂ）前記偏光光源から離隔して配置された装飾またはサイン部材と；ここで、前記装飾またはサイン部材は、偏光光源から放出される光を受ける第１面と前記第１面の光が透過して出ていく第２面を有する第１複屈折媒質と、前記第１複屈折媒質の第２面に設けられた第２偏光手段を含んでなり、前記第１複屈折媒質の第１面と第２面は、平面または曲面を成すことができ、
（ｃ）前記装飾またはサイン部材と離隔されており、前記の偏光光源から放出され、前記装飾またはサイン部材の前記第１面に入射して、前記第２偏光手段を透過して出ていく光が照らして、前記偏光光源の光による前記装飾またはサイン部材の影が投影され、前記偏光光源から放出され、直接入射した光の一部を、前記装飾またはサイン部材の第２偏光手段に反射するものであって、反射手段と前記反射手段の前面に設置されて第２複屈折媒質を含んでなる影投影手段を含んでなり、ここで、
（ｄ）前記影投影手段に投影された前記装飾またはサイン部材の影と、前記装飾またはサイン部材の第２偏光手段は、色相を呈し、
（ｅ）前記装飾またはサイン部材と、前記装飾またはサイン部材の影がなす組み合わせがディスプレイの対象となることを特徴とする偏光ディスプレイ装置。
【請求項４３】
前記装飾またはサイン部材を運動させる運動手段をさらに有することを特徴とする、請求項４２に記載の偏光ディスプレイ装置。
【請求項４４】
（ａ）光源と前記光源の前方に配置された第１偏光手段を含んで構成され、偏光した光を放出する偏光光源と；
（ｂ）前記偏光光源から離隔して配置され、前記偏光光源から放出された偏光された光を受けて透過させるものであって、透過する光を屈折させる装飾またはサイン部材と；
（ｃ）前記装飾またはサイン部材と離隔して位置し、前記偏光光源の光による前記装飾またはサイン部材の影が投影されて、入射する光を反射する影投影手段と；
（ｄ）前記偏光光源の光の進行経路上、前記装飾またはサイン部材と前記反射手段との間に配置された第２偏光手段を含んでなり、ここで、
（ｄ１）前記影投影手段に投影された前記装飾またはサイン部材の影は色相を呈し、
（ｄ２）前記の色相を呈する装飾またはサイン部材の影が、ディスプレイの必須的な対象となることを特徴とする偏光ディスプレイ装置。
【請求項４５】
前記第２偏光手段が、前記装飾またはサイン部材に付着しているか、または、前記影投影手段に付着していることを特徴とする、請求項４４に記載の偏光ディスプレイ装置。
【発明の詳細な説明】
【技術分野】
【０００１】
本発明は、影偏光ディスプレイ装置に関するもので、装飾またはサイン（ｓｉｇｎ）をなす装飾またはサイン部材と、それら装飾またはサイン部材の影をディスプレイの要素として提供し、それら装飾またはサイン部材とその影がカラーを帯びるようにする独特なディスプレイ効果が得られる影偏光ディスプレイ装置に関するものである。
【背景技術】
【０００２】
偏光板や偏光フィルムなどは、入射する光を偏光させるが、偏光には線偏光、円偏光、楕円偏光などがあり、円偏光を起こす円偏光手段は、線偏光を起こす線偏光手段の４分の１の波長の位相差を起こす位相差板を結合してなされているのが一般的である。
【０００３】
また、偏光した光を複屈折フィルムのような複屈折媒質を通過させると、通過した光が波長に応じてそれぞれ異なる偏光方向を有するようにすることができる。
【０００４】
影は、光が通過する経路上に物体がある時、光の通過が妨害を受けて物体の後ろに生じる暗い部分を言うが、物体が光が透過するものであっても、光の直進が妨げられる以上その後ろには影が発生することになる。これらの影ははっきりしているとか、ぼやけているなどの差異はあるが、黒く表示されるのが一般的である。
【０００５】
一方、このような影を利用して、装飾をなしたりまたはサイン（ｓｉｇｎ）をなすディスプレイ装置は見い出されていない。
【０００６】
ところで、影も形体を成すものであり装飾やサイン（ｓｉｇｎ）のための要素として活用することができるだろう。このように影が装飾やサインのためのディスプレイ要素として活用される時、それが光源や影を形成させる対象物のカラー性とは関係なしにカラーを帯びるようにできれば、非常に独特な美感を形成することができて好ましい。また、そのような場合には、そのように影を形成させる対象物も装飾やサインを成しながら、光源や影のカラー性とは関係なしにカラーを帯びるようにすることができれば良いだろう。
【０００７】
つまり装飾やサインを成す部材を提供し、そのような装飾やサインをなす部材が影を生成しながら、その装飾またはサイン部材またはその影が光源のカラー性とは関係なしに、カラーを帯びるようにすることができれば、従来にない独特な新しい美感を得ることができて好ましい。
【０００８】
前記光源は、照明手段として白色光を成す場合が一般的であるので、白色光が放出されるにもかかわらず、装飾やサインを成す部材またはその影がカラーを帯びるようになり独特の美感を成すことができるだろう。
【０００９】
また、前記の装飾やサイン部材のカラー性とは関係なしにその影がカラーを帯びるようになるが、例えば、前記の装飾やサイン部材が無色透明や半透明等であってカラーを持たないにもかかわらず、その影がカラーを有して独特な美感を成すことができるだろう。
【００１０】
本発明は、偏光現象を利用して、それを可能にする影偏光ディスプレイ装置を提供する。
【発明の概要】
【発明が解決しようとする課題】
【００１１】
本発明の目的は、装飾やサインを成す部材を提供し、その装飾やサインを成す部材が影を生成しながら、前記装飾またはサイン部材の影が光源や装飾またはサイン部材のカラー性とは関係なしにカラーを帯びるようにし、また、前記装飾またはサイン部材が光源のカラー性とは関係なしにカラーを帯びるようにする影偏光ディスプレイ装置を提供することである。
【課題を解決するための手段】
【００１２】
本発明は、光源と、前記光源の前方に配置された第１偏光手段を含んで構成され、偏光した光を放出する偏光光源と；前記偏光光源から離隔して位置し、前記偏光光源から放出された偏光した光を受けて透過させるものであって、透過する光を屈折させる裝飾またはサイン部材と；前記偏光光源の光の進行方向上に前記装飾またはサイン部材の後方に前記装飾またはサイン部材と離隔して位置し、前記偏光光源の光による前記装飾またはサイン部材の影が投影されて、入射する光を偏光させて反射する偏光影投影手段を含んでなり、ここで、前記偏光影投影手段に投影された前記装飾またはサイン部材の影は、色相を呈し、ディスプレイの対象は、前記の色相を呈する装飾またはサイン部材の影を含むことを特徴とする偏光ディスプレイ装置を提供する。
【００１３】
本発明によれば、前記偏光影投影手段は、影が形成される反射手段と前記反射手段の前面に設けられた第２偏光手段を含んでなり得る。このような場合、前記第２偏光手段は、前記反射手段の反射面に付着させることができる。
【００１４】
本発明によれば、前記の偏光光源から放出され、前記第２偏光手段に到達した光の偏光方向と前記第２偏光手段の偏光方向は、相互に７５°〜１０５°の差を有し、９０°（垂直）の差を有することが好ましく、または、前記偏光光源から放出され、前記第２偏光手段に到達した偏光された光の偏光方向と前記第２偏光手段の偏光方向は、相互に−１５°から１５°の差を有し、好ましくは０°（平行）の差を有することができる 。
【００１５】
すなわち、本発明による場合、前記第１偏光手段と前記第２偏光手段は、すべて線偏光手段であり、前記第１偏光手段と第２偏光手段が相互に成す相対的な偏光方向の角度は、前記偏光光源から前記偏光影投影手段に入射し、前記偏光影投影手段の反射面で反射した光の光量が最大であったり、または最小であり得る。
【００１６】
本発明によれば、前記第１偏光手段と前記第２偏光手段は、すべての円偏光手段であり得る。
【００１７】
本発明によれば、前記反射手段は、乱反射を成すものが提供されることが好ましい。
【００１８】
本発明によれば、前記装飾またはサイン部材は、複屈折特性がないか少ない透明部材に複屈折特性を有するフィルム、シート、板状の部材を結合して成すことができる。
【００１９】
本発明によれば、前記装飾またはサイン部材を成す複屈折媒質は、セロハンフィルム、またはＰＰ、ＰＥＴ、またはＰＣを材質としたフィルム、シートまたは板からなり得る。
【００２０】
本発明は、また、光源と；前記光源から離隔して位置する装飾またはサイン部材と；ここで、前記装飾またはサイン部材は、前記光源から放出された光を受ける第１面と前記第１面に入射した光が透過して出ていく第２面を有する複屈折媒質と、前記複屈折媒質の第１面に設置された第１偏光手段を含んでなり、前記複屈折媒質の第１面と第２面は、平面または曲面を成すことができ、前記光源から放出され前記装飾またはサイン部材の第１偏光手段に入射して前記第２面に透過して出ていく光が照らし、前記装飾またはサイン部材と離隔されたものであって、前記光源の光による前記装飾またはサイン部材の影が投影されて、入射した光を偏光させて反射するものであって、前記光源から放出され直接入射した光の一部を、前記装飾またはサイン部材の第２面に偏光させて反射する偏光影投影手段を含んでなり、ここで、前記偏光影投影手段に投影された前記装飾またはサイン部材の影と前記装飾またはサイン部材の第１偏光手段は、色相を呈し、前記装飾またはサイン部材と、前記偏光影投影手段に投影された前記装飾またはサイン部材の影の組み合わせがディスプレイの対象となることを特徴とする偏光ディスプレイ装置を提供する。
【００２１】
本発明によれば、前記偏光影投影手段は、影が形成される反射手段と前記反射手段の前面に設置された第２偏光手段を含んでなり得、このような場合、前記第２偏光手段は、前記反射手段の反射面に付着することができる。
【００２２】
本発明によれば、前記反射手段は、乱反射を成すことが好ましい。
【００２３】
本発明は、また、光源と；前記光源から離隔して位置する装飾またはサイン部材と；ここで、前記装飾またはサイン部材は、光源から放出される光を受ける第１面と前記第１面に入射した光が透過して出ていく第２面を有する複屈折媒質と、前記複屈折媒質の第１面に設置された第１偏光手段を含んでなり、前記複屈折媒質の第１面と第２面は、平面または曲面を成すことができ、
前記装飾またはサイン部材と離隔されており、入射した光を偏光させて反射するものであって、前記光源から放出され、直接入射した光の一部を偏光させて前記装飾またはサイン部材の複屈折媒質の第２面に反射する偏光反射手段を含んでなり、ここで、前記装飾またはサイン部材の第１偏光手段は、色相を呈し、前記装飾またはサイン部材がディスプレイの必須対象となることを特徴とする偏光ディスプレイ装置を提供する。
【００２４】
本発明によれば、前記偏光反射手段は、光を全部または一部反射する反射手段と前記反射手段の前面に設置された第２偏光手段を含んでなり得、このような場合、前記第２偏光手段は、前記反射手段の反射面に付着することができる。
【００２５】
本発明は、また、光源と、前記光源の前方に配置された第１偏光手段を含んでなり、偏光した光を放出する偏光光源と；前記偏光光源から離隔して位置する装飾またはサイン部材と；ここで、前記装飾またはサイン部材は、偏光光源から放出される光を受ける第１面と前記第１面に入射した光が透過して出ていく第２面を有する複屈折媒質と、前記複屈折媒質の第１面に設置された第２偏光手段を含んでなり、前記複屈折媒質の第１面と第２面は、平面または曲面を成すことができ、前記装飾またはサイン部材と離隔していて、入射した光を反射するものであって、前記偏光光源から放出され直接入射した光の一部を、前記装飾またはサイン部材の複屈折媒質の第２面に反射する反射手段を含んでなり、ここで、前記装飾またはサイン部材の第２偏光手段は、色相を呈し、前記第２偏光手段に表われる色相によって色相を有するようにする前記装飾またはサイン部材が必須的なディスプレイの対象となることを特徴とする偏光ディスプレイ装置を提供する。
【００２６】
本発明によれば、前記反射手段は、前記偏光光源の光の進行方向上、前記装飾またはサイン部材の後方に位置し、前記偏光光源の光による前記装飾またはサイン部材の影が投影され、前記装飾またはサイン部材と、前記装飾またはサイン部材の影の組み合わせがディスプレイの対象を成すことができる。
【００２７】
本発明によれば、前記反射手段は、乱反射を成すことが好ましい。
【００２８】
本発明によれば、前記の偏光光源から放出され、前記第２偏光手段に到達した光の偏光方向と前記第２偏光手段の偏光方向は、相互に７５°〜１０５°の差を有し、９０°（垂直）の差を有することが好ましく、または、前記偏光光源から放出され前記第２偏光手段に到達した偏光された光の偏光方向と前記第２偏光手段の偏光方向は、相互に−１５°〜１５°の差を有して、０°（平行）の差を有することが好ましい。
【００２９】
つまり、前記第１偏光手段と前記第２偏光手段は、すべて線偏光手段であって、前記第１偏光手段と第２偏光手段が相互に成す相対的な偏光方向の角度は、前記偏光光源から前記偏光影投影手段に入射して、前記偏光影投影手段の反射面で反射する光の光量が最大である場合、または最小である場合であり得る。
【００３０】
本発明によれば、前記第１偏光手段と前記第２偏光手段は、すべての円偏光手段であり得る。
【００３１】
本発明は、また、光源と、前記光源の前方に配置された第１偏光手段を含んで構成され、偏光した光を放出する偏光光源と；前記偏光光源から離隔して位置する装飾またはサイン部材と；ここで、前記装飾またはサイン部材は、前記偏光光源から放出される光を受ける第１面と前記第１面に入射した光が透過して出ていく第２面を有する複屈折媒質と、前記複屈折媒質の第２面に設置された第２偏光手段を含んでなり、ここで、前記複屈折媒質の第１面と第２面は、平面または曲面を成すことができ、前記装飾またはサイン部材と離隔されていて、前記の偏光光源から放出され、前記装飾またはサイン部材の前記複屈折媒質の第１面に入射して、前記第２偏光手段に透過していく光が照らして、前記偏光光源の光による前記装飾またはサイン部材の影が投影される影投影手段を含んでなり、ここで、前記影投影手段に投影された前記装飾またはサイン部材の影は色相を呈し、前記の色相を表わす装飾またはサイン部材の影が、ディスプレイの必須的な対象になることを特徴とする偏光ディスプレイ装置を提供する。
【００３２】
本発明によれば、前記影投影手段は、入射された光を反射するものであって、前記偏光光源から放出され、直接入射した光の一部を、前記装飾またはサイン部材の第２偏光手段で反射して、前記の装飾またはサイン部材と前記装飾またはサイン部材の影の組み合わせがディスプレイの対象となり得る。
【００３３】
本発明によれば、前記影投影手段は、乱反射を成すことが好ましい。
【００３４】
本発明によれば、前記の偏光光源から放出され、前記影の投影手段によって反射して、前記第２偏光手段に到達した光の偏光方向と前記第２偏光手段の偏光方向は、相互に７５°〜１０５°の差を有し、９０°（垂直）の差を有することが好ましく、または、前記偏光光源から放出され、前記影投影手段によって反射して、前記第２偏光手段に到達した光の偏光方向と前記第２偏光手段の偏光方向は、相互に−１５°〜１５°の差を有し、０°（平行）の差を有することが好ましい。
【００３５】
本発明によれば、前記第１偏光手段と前記第２偏光手段は、すべて円偏光手段であり得る。
【００３６】
本発明は、また、光源と、前記光源の前方に配置した第１偏光手段を含んで構成され、偏光した光を放出する偏光光源と；前記偏光光源から離隔して位置した装飾またはサイン部材と；ここで、前記装飾またはサイン部材は、偏光光源から放出される光を受ける第１面と前記第１面の光が透過して出る第２面を有する第２偏光手段と前記第２偏光手段の第１面に設置された第１複屈折媒質と前記第２偏光手段の第２面に設置された第２複屈折媒質を含んでなり、前記複屈折媒質の表面は、平面または曲面を成すことができ、前記装飾またはサイン部材と離隔していて、前記偏光光源から放出され前記装飾またはサイン部材の前記第１複屈折媒質に入射して、前記第２偏光手段と前記第２複屈折媒質を透過して出ていく光が照らし、前記偏光光源の光による前記装飾またはサイン部材の影が投影されて、入射した光を反射するものであって、前記偏光光源から放出され直接入射した光の一部を、前記装飾またはサイン部材の第２複屈折媒質に反射する影投影手段を含んでなり、ここで、前記影投影手段に投影された前記装飾またはサイン部材の影と、前記装飾またはサイン部材の第２偏光手段は色相を呈し、前記装飾またはサイン部材と前記装飾またはサイン部材の影がなす組み合わせが、ディスプレイの対象となることを特徴とする偏光ディスプレイ装置を提供する。
【００３７】
本発明によれば、前記影の投影手段の反射面は、乱反射を成すことが好ましい。
【００３８】
本発明は、また、第１光源と前記光源の前方に配置された第１偏光手段を含んで構成され、偏光した光を放出する偏光光源と；前記偏光光源がオフの時に提供される第２光源と；前記の偏光光源と第２光源から離隔して位置する装飾またはサイン部材と；ここで、前記装飾またはサイン部材は、前記偏光光源または第２光源から放出される光を受ける第１面と前記第１面に入射した光が透過して出ていく第２面を有する複屈折媒質と、前記複屈折媒質の第１面に設けられた第２偏光手段を含んでなり、前記複屈折媒質の第１面と第２面は、平面または曲面を成すことができ、前記の偏光光源と前記第２光源の光の進行方向上、前記装飾またはサイン部材の後方に前記装飾またはサイン部材と離隔して位置し、前記偏光光源または前記第２光源の光による前記装飾またはサイン部材の影が投影されて、入射した光を偏光させて反射するものであって、前記偏光光源または前記第２光源から放出され、直接入射した光の一部は、偏光させて前記装飾またはサイン部材の複屈折媒質の第２面に反射する偏光影投影手段を含んでなり、ここで、前記装飾またはサイン部材の影と、前記装飾またはサイン部材の第２偏光手段は、色相を呈し、前記装飾またはサイン部材と、前記装飾またはサイン部材の影がなす組み合わせがディスプレイの対象となることを特徴とする偏光ディスプレイ装置を提供する。
【００３９】
本発明によれば、前記第２光源は、自然光であることが好ましい。
【００４０】
本発明によれば、前記偏光影投影手段は、影が形成される反射手段と前記反射手段の前面に設けられた第３偏光手段を含んでなることが好ましい。この場合、前記第３偏光手段は、前記反射手段の反射面に付着することができる。
【００４１】
また、この場合、前記反射手段は、乱反射を成すことが好ましい。
【００４２】
本発明は、また、光源と、前記光源の前方に配置された第１偏光手段を含んで構成され、偏光した光を放出する偏光光源と；前記偏光光源から離隔して位置する装飾またはサイン部材と；ここで、前記装飾またはサイン部材は、偏光光源から放出される光を受ける第１面と前記第１面の光が透過して出ていく第２面を有する第１複屈折媒質と、前記第１複屈折媒質の第２面に設けられた第２偏光手段を含んでなり、前記第１複屈折媒質の第１面と第２面は、平面または曲面を成すことができ、前記装飾またはサイン部材と離隔されていて、前記の偏光光源から放出され前記装飾またはサイン部材の前記第１面に入射して、前記第２偏光手段を透過して出ていく光が照らし、前記偏光光源の光による前記装飾またはサイン部材の影が投影され、前記偏光光源から放出され直接入射した光の一部を、前記装飾またはサイン部材の第２偏光手段で反射するものであって、反射手段と前記反射手段の前面に設けられた第２複屈折媒質を含んでなる影投影手段を含んでなり、ここで、前記影投影手段に投影された前記装飾またはサイン部材の影と、前記装飾またはサイン部材の第２偏光手段は、色相を呈し、前記装飾またはサイン部材と、前記装飾またはサイン部材の影がなす組み合わせが、ディスプレイの対象となることを特徴とする偏光ディスプレイ装置を提供する。
【００４３】
本発明によれば、前述した前記装飾またはサイン部材を運動させる運動手段をさらに有することが好ましい。
【００４４】
本発明は、また、光源と、前記光源の前方に配置された第１偏光手段を含んで構成され、偏光した光を放出する偏光光源と；前記偏光光源から離隔して位置し、前記偏光光源から放出された偏光された光を受けて透過させるものであって、透過する光を屈折させる装飾またはサイン部材と；前記装飾またはサイン部材と離隔して位置し、前記偏光光源の光による前記装飾またはサイン部材の影が投影され、入射する光を反射する影投影手段と；前記偏光光源の光の進行経路上、前記装飾またはサイン部材と前記反射手段との間に配置された第２偏光手段を含んでなり、ここで、前記影投影手段に投影された前記装飾またはサイン部材の影は色相を呈し、前記の色相を表わす装飾またはサイン部材の影が、ディスプレイの必須的な対象となることを特徴とする偏光ディスプレイ装置を提供する。
【００４５】
本発明によれば、前記第２偏光手段は、前記装飾またはサイン部材に付着しているか、または、前記影投影手段に付着していることが好ましい。
【発明の効果】
【００４６】
本発明は、影をディスプレイ要素として導入して、それらの影がカラーを有し、そのような影を生成させるために装飾やサイン部材を提供して、その装飾やサイン部材もカラーを帯びるようにしながら、前記装飾またはサイン部材の影が光源や装飾またはサイン部材のカラー性とは関係なしに、カラーを帯び、また、前記装飾またはサイン部材が光源のカラー性とは関係なしに、カラーを帯びるようになる独特なディスプレイ効果を得ることができる影偏光ディスプレイ装置を提供する。
【００４７】
本発明は、大きく見て七つの態様を含んでいて、一部は影を生成しないか、または影がカラーを帯びないことがあり得るが、そのような場合にも、光源のカラー性と関係なしに装飾またはサイン部材はカラーを有する。
【００４８】
特に、本発明の場合、前記の装飾またはサイン部材に回転やスイングなどの運動をさせる運動手段を有することができ、この場合、カラーを帯びる装飾またはサイン部材の影または装飾またはサイン部材は、装飾またはサイン部材の運動によって、そのカラーが変化を成すようになる。
【図面の簡単な説明】
【００４９】
【図１】本発明の第一態様による影偏光ディスプレイ装置を示す図である。
【図２】図１のディスプレイの例を示す図である。
【図３】本発明の第二態様による影偏光ディスプレイ装置を示す図である。
【図４】本発明の第二態様の変形による影偏光ディスプレイ装置を示す図である。
【図５】本発明の第三態様による影偏光ディスプレイ装置を示す図である。
【図６】本発明の第四態様による影偏光ディスプレイ装置を示す図である。
【図７】本発明の第五態様による影偏光ディスプレイ装置を示す図である。
【図８】本発明の第六態様による影偏光ディスプレイ装置を示す図である。
【図９】本発明の第七態様による影偏光ディスプレイ装置を示す図である。
【発明を実施するための形態】
【００５０】
本発明の好ましい実施例を添付した図を参考にして詳細に説明する。
【００５１】
図１は、本発明の第一態様による影偏光ディスプレイ装置１０００を示す。
【００５２】
本発明によれば、まず偏光光源８０が提供され、これは光源８１と前記光源８１の前方に配置された第１偏光手段８３を含んで構成され、偏光した光を放出するものである。
【００５３】
たとえば、前記偏光光源８０は、円筒体の内部に光を放出する光源８１が設置され、その前方に第１偏光手段８３として偏光フィルムや偏光板などが設置されたものになり得、それにより、光源８１を出発した光は、第１偏光手段８３を経て偏光されて偏光した光を放出することになる。
【００５４】
本発明によれば、前記偏光光源８０の光が進行する経路に置かれたものであって、前記偏光光源８０から離隔して位置し、前記偏光光源８０から放出された偏光した光を受けて透過させる装飾またはサイン部材５１が提供され、これらの装飾またはサイン部材５１は、複屈折媒質からなる。
【００５５】
前記装飾またはサイン部材５１は、ディスプレイの目的に合わせて装飾のために使用されたり、または情報伝達のためのサイン（ｓｉｇｎ）のために使用されるものであって、例えば、文様やロゴの形態を有したり、ブランドまたは文字などの形態を有して美感を形成するための装飾や情報伝達のためのサインのために用いることができるものをいう。
【００５６】
これらの装飾またはサイン部材５１は、通常、多数の要素から成り立つ。例えば、ブランドは、ロゴと個々の文字が集まって成り立つが、これらのロゴは、個々の文字のすべてまたは一部が前記の装飾またはサイン部材５１をなすことができる。
【００５７】
このような装飾またはサイン部材５１は、糸で吊って設置するなど支持手段によって特定の空間に位置することができる。
【００５８】
また、本発明によれば、偏光影投影手段６０が提供される。
【００５９】
前記偏光影投影手段６０は、表面に影が形成され得るものであって、入射した後に反射する反射光が偏光性を有するようになるものを言うが、反射光の全てが偏光性を有することもでき、一部が偏光性を有することも可能である。
【００６０】
たとえば、ガラス板の場合、表面に影が形成され、また、入射光の一部を屈折して透過させて一部は反射させ、反射した光は、偏光になるものであって、前記偏光影投影手段６０になり得る。また、クリスタルやアクリルまたは光が透過するプラスチックを材質とする面部材の場合も、影が形成されて入射する光が、一部屈折して透過し、反射した光が偏光されるものであって、本発明に係る偏光影投影手段６０になり得る。ここで、面部材とは、光が当たる側が面を形成する部材をいい、ここで、面は平面に限定されず、曲率を有していても構わない。また、水のような液体の表面にも影が形成され、その反射光が偏光されるので、前記偏光影投影手段６０になり得る。
【００６１】
本発明によれば、前記偏光影投影手段６０は、入射する光を反射させるものであって、表面に影が形成され得る反射手段６７を提供して、前記反射手段６７の前面に第２偏光手段６４を設置して成り立ち得る。このような場合、前記反射手段６７には、影が形成され入射する光は、前記第２偏光手段６４によって偏光されて、反射されるものであって、本発明に係る偏光影投影手段になるものである。
【００６２】
前記反射手段６７は、表面に影が形成され得るものであれば良く、多くの場合、乱反射を成すものになるが、それに限定されない。例えば、前記反射手段６７は、ガラス、アクリル板、金属板、プラスチック板などがなり得、また、合成樹脂、段ボールや紙などからなるベース部材に金属物質をメッキまたは塗布して成り立ったり、ベース部材に金属フィルムを付着してなるものがなり得る。このような反射手段６７に偏光フィルムを第２偏光手段６４として付着したものが、前記偏光影投影手段６０になり得るのである。一方、鏡などの正反射手段の場合にも、影は形成されるのであって、本発明に係る反射手段６７になり得る。
【００６３】
これによって、鏡に映す像と影が重なると、本発明によって影の部分がカラーを有する場合、影の部分のカラーが前記の像に表われるようになる。場合によっては、反射手段で像と影が分離して表われることもあるが、そのような場合にも影が形成されるものであって、前記偏光影投影手段６０をなす反射手段６７になる。
【００６４】
本発明の場合、このような偏光影投影手段６０が、前記偏光光源８０の光の進行方向上、前記装飾またはサイン部材５１の後方に前記装飾またはサイン部材５１と離隔して位置し、前記偏光光源８０の光による前記装飾またはサイン部材の影が投影されていて、入射する光を偏光させて反射することになる。
【００６５】
上述した偏光影投影手段６０は、壁面に設置されたり、又は壁面が反射手段６７になって、その前面に偏光フィルムのような第２偏光手段６４を付着したりすることができる。
【００６６】
このような本発明によれば、前記偏光光源８０から放出され、前記装飾またはサイン部材５１を透過して前記偏光影投影手段６０に投影された影は、カラーを有するようになる。
【００６７】
すなわち、前記偏光影投影手段６０には、装飾またはサイン部材５１の影が形成されるが、これらの影が前記装飾またはサイン部材５１のカラー性とは関係なしに、カラーを帯びるようになるのである。
【００６８】
たとえば、前記の装飾またはサイン部材５１が無色透明や半透明の場合も、前記のその影は、カラーを有することができる。
【００６９】
本発明の第一態様によると、このように偏光影投影手段６０に形成されるカラーを有する装飾またはサイン部材５１の影がディスプレイの対象となる。もちろん、前記の装飾またはサイン部材５１も、ディスプレイの要素として一緒に使用することも可能である。すなわち、前記偏光影投影手段６０に形成されるカラーを有する装飾またはサイン部材５１の影だけをディスプレイの要素として使用したり、またはそれと共に、前記の装飾またはサイン部材５１をディスプレイ要素として一緒に活用することができるのである。
【００７０】
このような本発明の第一態様による場合、影の形態を前記装飾またはサイン部材５１の形態を調整することによって定めることができ、このような形態の影が光源８０の光や装飾またはサイン部材５１のカラーに関係なく、カラーを有するようになるのである。
【００７１】
これは、偏光光源８０から放出されて装飾またはサイン部材５１を通過しながら、波長別に偏光方向が異なった光が偏光影投影手段６０に入射して、偏光反射を成しながら、波長別偏光と反射時の偏光によって、一部の波長の光は反射され、一部の波長の光は反射されないようになりながら、反射される波長による光がカラーを表わすようになるのである。
【００７２】
図２は、Ｓ字型のカラーがない透明の装飾またはサイン部材５１を提供していて、その後方に前記の装飾またはサイン部材５１の影６が偏光影投影手段６０に形成され、この影は、カラーを有する。
【００７３】
このような本発明の第一態様によると、前記偏光光源８０から放出され、前記第２偏光手段６４に到達した光の偏光方向と前記第２偏光手段の偏光方向は、相互に７５°〜１０５°の差を有し、９０°（垂直）の差を有することが好ましい。
【００７４】
これは、前記第１偏光手段８３の直進方向上に前記第２偏光手段６７が置かれる場合、これらの相互間の偏光方向がなす角が９０°（垂直）の差を有したり、それに近い角である７５°〜１０５°の差を有することを意味する。このような場合、前記の影の周辺部は、偏光光源から放出された光が通過することができず黒く見えたり暗く見えるようになる。図２は、このような場合を示している。
【００７５】
一方、これは前記第１偏光手段８１と第２偏光手段６４が相互に成す相対的な偏光方向の角度が、前記偏光光源８０から前記偏光影投影手段６０に入射して、前記偏光影投影手段６０の反射面で反射する光の光量が最小である場合を意味する。すなわち、前記第２偏光手段６４または第１偏光手段８１の相対的な角度を調整して前記偏光影投影手段６０で最も暗く見える角度を選択すればよい。
【００７６】
万一、前記第１偏光手段８１と前記第２偏光手段６４が円偏光手段である場合は、これらのいずれか一方は、左円偏光手段であり、もう一方は、右円偏光手段である。
【００７７】
また、本発明の第一態様によると、前記偏光光源８０から放出され、前記第２偏光手段６４に到達した光の偏光方向と前記第２偏光手段の偏光方向は、相互に−１５°〜１５°の差を有し、０°（平行）の差を有することが好ましい。
【００７８】
これは前記第１偏光手段８３の直進方向上に前記第２偏光手段６７が置かれる場合、これらの相互間の偏光方向のなす角が０°（平行）の差を有したり、これに近い角の−１５°〜１５°の差を有することを意味する。このような場合、前記の影の周辺部は、偏光光源から放出された光が通過して明るく見えるようになる。
【００７９】
一方、これは前記第１偏光手段８１と第２偏光手段６４が相互に成す相対的な偏光方向の角度が前記偏光光源８０から前記偏光影投影手段６０に入射して、前記偏光影投影手段６０の反射面で反射した光の光量が最大である場合を意味する。すなわち、前記第２偏光手段６４または第１偏光手段８１の相対的な角度を調整して前記偏光影投影手段６０で最も明るく見える角度を選択すればよい。
【００８０】
万一、前記第１偏光手段８１と前記第２偏光手段６４が円偏光手段である場合、これらはすべて左円偏光手段であるか、または右円偏光手段である。
【００８１】
本発明によれば、前記偏光影投影手段６０が反射手段６７と、その前面に設けられた第２偏光手段６４からなる場合、前記反射手段６７は、乱反射を成すことが良い。
【００８２】
本発明によれば、前記装飾またはサイン部材５１は、複屈折特性がないか少ない透明部材に複屈折特性を有するフィルム、シート、板状の部材を結合してなすことができ、このような場合、前記装飾またはサイン部材５１を通過する光は、複屈折を成すことになる。
【００８３】
一方、本発明による場合、前記の装飾またはサイン部材をなす複屈折媒質は、セロハンフィルム、またはＰＰ、ＰＥＴ、またはＰＣを材質としたフィルム、シート、または板であり得る。
【００８４】
図３は、本発明の第二態様による影偏光ディスプレイ装置２０００を示す。
【００８５】
本発明によれば、光を放出する光源８１が提供されており、前記光源８１から離隔して配置された装飾またはサイン部材５２が提供されている。
【００８６】
前記装飾またはサイン部材５２は、本発明の第一態様による場合のように、ディスプレイの目的に合わせて装飾のために使用されたり、または情報伝達のためのサイン（ｓｉｇｎ）のために使用されるものであって、例えば、文様やロゴの形態を有したり、ブランドまたは文字などの形態を有し、美感形成のための装飾や情報伝達のためのサインのために用いることができるものをいう。
【００８７】
これらの装飾またはサイン部材５２は、通常、多数の要素から成り得る。例えば、ブランドは、ロゴと個々の文字が集まって形成されるが、これらのロゴと個々の文字のすべてまたは一部が前記装飾またはサイン部材５２を成すことができる。
【００８８】
このような装飾またはサイン部材５２は、糸にぶら下げて設置するなど支持手段によって特定の空間に位置することができる。
【００８９】
本発明によれば、前記装飾またはサイン部材５２は、前記光源８１から放出される光を受ける第１面５２１１と前記第１面５２１１に入射した光が透過して出ていく第２面５２１２を有する複屈折媒質５２１と、前記複屈折媒質５２１の第１面５２１１に設置された第１偏光手段５２３を含んで成り立っている。
【００９０】
前記複屈折媒質５２１の第１面５２１１と第２面５２１２は、平面または曲面を成すことができる。
【００９１】
また、本発明による場合、偏光影投影手段６０が設置されるが、これは、前述した本発明の第一態様で提供されるものと同じものである。
【００９２】
前記偏光影投影手段６０は、前記装飾またはサイン部材５２と離隔されている。
【００９３】
このような偏光影投影手段６０は、前記光源８１から放出され、前記装飾またはサイン部材５２の第１偏光手段５２３に入射して、前記複屈折媒質の第２面５２１２に透過して出ていく光が照らして、前記光源８１の光による前記装飾またはサイン部材５２の影が投影される。
【００９４】
また、前記偏光影投影手段６０は、前記光源８１から放出され、直接入射した光の一部を偏光させて前記装飾またはサイン部材５２の第２面５２１２の方向に反射する。
【００９５】
このような本発明によれば、前記偏光影投影手段６０に投影された前記装飾またはサイン部材５２の影は、前記装飾またはサイン部材５２の形態を有しながらカラーを帯びるようになる。この場合の光の経路は、図３に３で表示されている。
【００９６】
また、前記装飾またはサイン部材５２もカラーを帯びるようになる。つまりその第１偏光手段５２３でカラーを表わすようになる。
【００９７】
この場合の光の経路は、前記光源８１から偏光影投影手段６０に直接入射して反射した光が前記複屈折媒質の第２面５２１２に入射して、前記第１偏光手段５２３を透過する場合（図３の１の経路）と前記装飾またはサイン部材５２を透過した後、前記偏光影投影手段６０に入射して、反射した光が前記第２面５２１２に入射して前記第１偏光手段５２３を透過する場合（図３の２の経路）があり得るが、これらの経路によって前記第１偏光手段５２３に表われるカラーが異なる。
【００９８】
本発明の第二態様による場合、図２に示されているようなＳ字型の装飾またはサイン部材とその影はすべてカラーを帯びるようになる。
【００９９】
本発明の第二態様による場合、前記装飾またはサイン部材５２とその影がディスプレイ要素を成し、それらの組み合わせによるものがディスプレイを成すことになる。
【０１００】
本発明によれば、前記偏光影投影手段６０を反射手段６７と、その前面に設けられた第２偏光手段６４でなす場合、前記反射手段６７は、乱反射を成すことが良い。
【０１０１】
本発明によれば、前記装飾またはサイン部材５２の複屈折媒質５２１は、複屈折特性がないか少ない透明部材に複屈折特性を有するフィルム、シート、板状の部材を結合してなすことができる。このような場合、前記複屈折媒質５２１を通過する光は、複屈折を成すようになる。
【０１０２】
一方、本発明による場合、前記の装飾またはサイン部材をなす複屈折媒質５２１は、セロハンフィルムか、またはＰＰ、ＰＥＴ、またはＰＣを材質としたフィルム、シート、または板であり得る。
【０１０３】
図４は、本発明の第二態様の変形であり、この場合は、前述した偏光影投影手段６０に代わって入射した光を偏光させて反射する偏光反射手段６０’が提供されている。
【０１０４】
これは、実質的に光源８１に対する偏光影投影手段６０の相対的な位置によって偏光影投影手段６０に影が形成されない場合である。
【０１０５】
しかし、このような場合も、前記光源８１から偏光反射手段６０’に直接入射して反射した光が前記装飾またはサイン部材５２の第２面５２１２に入射した後、透過して出ていき、前記第１偏光手段５２３には、カラーが表われる。
【０１０６】
図５は、本発明の第三態様による影偏光ディスプレイ装置３０００を示す。
【０１０７】
この場合は、まず、前述した第一態様のように光源８１と前記光源８１の前方に配置された第１偏光手段８３を含んで構成され偏光した光を放出する偏光光源８０が提供されている。
【０１０８】
また、本発明による場合、前記の偏光光源８０から離隔して配置された装飾またはサイン部材５３が提供されている。
【０１０９】
前記装飾またはサイン部材５３は、本発明の第一態様による場合のように、ディスプレイの目的に合わせて装飾のために使用されたり、または情報伝達のためのサイン（ｓｉｇｎ）のために使用されるものであって、例えば、文様やロゴの形態を有したり、ブランドまたは文字などの形態を有し、美感を形成するための装飾または情報伝達のためのサインのために用いることができるものをいう。
【０１１０】
これらの装飾またはサイン部材５３は、通常、多数の要素から成り立つ。例えば、ブランドは、ロゴと個々の文字が集まって成り立つが、これらのロゴと個々の文字のすべてまたは一部が前記装飾またはサイン部材５３を成すことができる。
【０１１１】
このような装飾またはサイン部材５３は、糸にぶら下げて設置するなど支持手段によって特定の空間に位置することができる。
【０１１２】
本発明によれば、前記装飾またはサイン部材５３は、前記偏光光源８０から放出された光を受ける第１面５３１１と前記第１面５３１１に入射した光が透過して出ていく第２面５３１２を有する複屈折媒質５３１と、前記複屈折媒質５３１の第１面５３１１に設置された第２偏光手段５３３を含んで成り立つ。
【０１１３】
前記複屈折媒質５３１の第１面５３１１と第２面５３１２は、平面または曲面を成すことができる。
【０１１４】
また、本発明による場合、反射手段６７が設置されるが、これは入射する光を反射するもので乱反射を成すことが好ましいが、必ずしもそれに限定されるわけではないことは、前述した通りである。
【０１１５】
前記反射手段６７は、前記装飾またはサイン部材５３と離隔されている。
【０１１６】
このような本発明によれば、前記装飾またはサイン部材５３の第２偏光手段５３３は、カラーを帯びるようになる。
【０１１７】
一方で、前記反射手段６７は、前記装飾またはサイン部材５３の形態による影が形成され得るが、この場合の影はカラーを有さない。場合によっては、前記反射手段６７の前記偏光光源８０に対する相対的な位置を調整して、影が形成されないようにすることもできる。
【０１１８】
万一、影が形成される場合は、前記のカラーを有する装飾またはサイン部材５３に加え、前記の影もディスプレイをなすようにすることができる。
【０１１９】
このような本発明の第三態様による場合、前記第１偏光手段８３と前記第２偏光手段５３３の相対的な偏光方向を調整して、前記第２偏光手段５３３を通過する光の光量を調整することができる。
【０１２０】
万一、前記の偏光光源８０から放出され、前記第２偏光手段５３３に到達した光の偏光方向と前記第２偏光手段５３３の偏光方向は、相互に７５°〜１０５°の差を有し、９０°（垂直）の差を有することが好ましい。
【０１２１】
これは、前記第１偏光手段８３の直進方向上に前記第２偏光手段５３３が置かれる場合、これらの相互間の偏光方向がなす角が９０°（垂直）の差を有したり、それに近い角の７５°〜１０５°の差を有することを意味する。このような場合、前記偏光光源８０から放出された光は、前記第２偏光手段５３３をほとんど通過できず、それによって前記反射手段６７に形成される影は黒くなる。
【０１２２】
一方、これは前記第１偏光手段８１と第２偏光手段５３３が相互に成す相対的な偏光方向の角度が、前記偏光光源８０から前記第２偏光手段５３３を通過する光の光量が最小の場合を意味する。すなわち、前記第２偏光手段５３３または第１偏光手段８１の相対的な角度を調整して前記反射手段６７で影が最も暗く見える角度を選択すればよい。
【０１２３】
万一、前記第１偏光手段８１と前記第２偏光手段５３３が円偏光手段である場合は、これらのいずれかは、左円偏光手段であり、もう一方は、右円偏光手段である。
【０１２４】
また、本発明の第三態様の場合、前記偏光光源８０から放出され、前記第２偏光手段５３３に到達した光の偏光方向と前記第２偏光手段５３３の偏光方向は、相互に−１５°〜１５°の差を有し、好ましくは０°（平行）の差を有することができる 。
【０１２５】
これは、前記第１偏光手段８３の直進方向上に前記第２偏光手段５３３が置かれる場合、これらの相互間の偏光方向がなす角が０°（平行）の差を有したり、それに近い角の−１５  °〜１５°の差を有することを意味する。このような場合、前記偏光光源８０から放出された光は、前記第２偏光手段５３３をほとんど通過し、それによって前記反射手段６７に形成される影は薄く見える。
【０１２６】
一方、これは前記第１偏光手段８１と第２偏光手段５３３が相互に成す相対的な偏光方向の角度が、前記偏光光源８０から前記第２偏光手段５３３を通過する光の光量が最大の場合を意味する。すなわち、前記第２偏光手段５３３または第１偏光手段８１の相対的な角度を調整して前記反射手段６７で影が透明に見える角度を選択すればよい。
【０１２７】
万一、前記第１偏光手段８１と前記第２偏光手段５３３が円偏光手段である場合、これらはすべて左円偏光手段であるか、または右円偏光手段である。
【０１２８】
一方、図の光の経路（１と２）によって前記装飾またはサイン部材５３の偏光手段５３３が有するカラーは異なって見える。すなわち、前記装飾またはサイン部材５３の偏光手段５３３で１の経路による部分と２の経路による部分のカラーは異なって表われる。
【０１２９】
図６は、本発明の第四態様による影偏光ディスプレイ装置４０００を示す。
【０１３０】
この場合、光源８１と前記光源８１の前方に配置された第１偏光手段８３を含んで構成され、偏光した光を放出する偏光光源８０が提供されている。
【０１３１】
また、本発明による場合、前記の偏光光源８０から離隔して配置された装飾またはサイン部材５４が提供されている。
【０１３２】
前記装飾またはサイン部材５４は、ディスプレイの目的に合わせて装飾のために使用されたり、または情報伝達のためのサイン（ｓｉｇｎ）のために使用されるものであって、例えば、文様やロゴの形態を有したり、ブランドまたは文字などの形態を有し、美感を形成するための装飾または情報伝達のためのサインのために用いることができるものをいう。
【０１３３】
これらの装飾またはサイン部材５４は、通常、多数の要素から成り立つ。例えば、ブランドは、ロゴと個々の文字が集まって成り立つが、これらのロゴと個々の文字のすべてまたは一部が前記装飾またはサイン部材５４を成すことができる。
【０１３４】
このような装飾またはサイン部材５４は、糸にぶら下げて設置するなど支持手段によって特定の空間に位置することができる。
【０１３５】
本発明によれば、前記装飾またはサイン部材５４は、前記偏光光源８０から放出される光を受ける第１面５４１１と前記第１面５４１１に入射した光が透過して出ていく第２面５４１２を有する複屈折媒質５４１と、前記複屈折媒質５４１の第２面５４１２に設置された第２偏光手段５４３を含んで成り立つ。
【０１３６】
前記複屈折媒質５４１の第１面５４１１と第２面５４１２は、平面または曲面を成すことができる。
【０１３７】
また、本発明による場合、前記の偏光光源８０から放出され、前記装飾またはサイン部材５４の前記複屈折媒質５４１の第１面５４１１に入射して、前記第２偏光手段５４３に透過して出ていく光が照らして、前記偏光光源８０の光による前記装飾またはサイン部材の影５４が投影される影投影手段６７が提供される。
【０１３８】
前記影投影手段６７は、前記装飾またはサイン部材５４と離隔されている。
【０１３９】
前記影投影手段６７は、前述した反射手段と同じものであって乱反射を成すことが好ましいが、必ずしもそれに限定されるわけではないことは、前述した通りである。
【０１４０】
このような本発明によれば、前記影投影手段６７に投影された前記装飾またはサイン部材５４の影は、カラーを帯びるようになり、このようにカラーを表わす前記装飾またはサイン部材５４の影が、ディスプレイの対象となる。
【０１４１】
一方、前記の影投影手段６７は、前記偏光光源８０から放出され、直接入射した光の一部を、前記装飾またはサイン部材５４の第２偏光手段５４３に反射することができる。
【０１４２】
本発明によれば、前記カラーを表わす装飾またはサイン部材５４の影のみならず、それと共に、前記の装飾またはサイン部材５４がディスプレイの対象となり得る。
【０１４３】
一方、本発明による場合、前記第１偏光手段８３と前記第２偏光手段５４３の相対的な偏光方向を調整して前記第２偏光手段５４３を通過する光の光量を調整することができる。
【０１４４】
万一、前記の偏光光源８０から放出され、前記影投影手段６７で反射して第２偏光手段５４３に到達した光の偏光方向と前記第２偏光手段５４３の偏光方向は、相互に７５°〜１０５°の差を有し、９０°（垂直）の差を有することが好ましい。
【０１４５】
このような場合、前記偏光光源８０から放出され、前記影投影手段６７で反射した光は、前記第２偏光手段５４３をほとんど通過できず、それによって、前記装飾またはサイン部材５４からの光の経路１による部分は黒く見え、経路２による部分は裏面の影が見えるようになる。この場合、光の経路１による部分は装飾またはサイン部材５４が、その影と重ならない部分であり、経路２による部分は装飾またはサイン部材５４が、その影と重なる部分になる。
【０１４６】
一方、これは前記第１偏光手段８１と第２偏光手段５４３が相互に成す相対的な偏光方向の角度が、前記偏光光源８０から放出され前記影投影手段６７で反射して、前記第２偏光手段５４３を通過する光の光量が最小である場合を意味する。すなわち、前記第２偏光手段５４３または第１偏光手段８１の相対的な角度を調整して、影と重ならない部分において、前記装飾またはサイン部材５４３で光の透過が最も無い角度を選択すれば良い。
【０１４７】
万一、前記第１偏光手段８１と前記第２偏光手段５３３が円偏光手段である場合、これらはともに左円偏光手段であるか、または右円偏光手段である。
【０１４８】
また、本発明による場合、前記の偏光光源８０から放出され、前記影投影手段６７で反射して第２偏光手段５４３に到達した光の偏光方向と前記第２偏光手段５４３の偏光方向は、相互に−１５°〜１５°の差を有し、好ましくは０°（平行）の差を有することができる。
【０１４９】
このような場合、前記偏光光源８０から放出され、前記影投影手段６７で反射した光は、前記第２偏光手段５４３をほとんど通過し、それによって、前記装飾またはサイン部材５４での光の経路１による部分は透明に見えて、経路２による部分は裏面の影が見えるようになる。
【０１５０】
一方、これは前記第１偏光手段８１と第２偏光手段５４３が相互に成す相対的な偏光方向の角度が、前記偏光光源８０から放出され、前記影投影手段６７で反射して第２偏光手段５３３を通過する光の光量が最大である場合を意味する。すなわち、前記第２偏光手段５４３または第１偏光手段８１の相対的な角度を調整して、前記装飾またはサイン部材５４で影と重ならない部分において、前記装飾またはサイン部材５４３からの光の透過が最も大きい角度を選択すれば良い。
【０１５１】
万一、前記第１偏光手段８１と前記第２偏光手段５３３が円偏光手段である場合、これらのいずれかは、左円偏光手段であり、もう一方は、右円偏光手段である。
【０１５２】
本発明によれば、前記装飾またはサイン部材５４の複屈折媒質５４１は、複屈折特性がないか少ない透明部材に複屈折特性を有するフィルム、シート、板状の部材を結合して成すことができる。このような場合、前記複屈折媒質５４１を通過する光は、複屈折を成すようになる。
【０１５３】
一方、本発明による場合、前記の装飾またはサイン部材をなす複屈折媒質５４１は、セロハンフィルムか、またはＰＰ、ＰＥＴ、またはＰＣを材質としたフィルム、シート、または板であり得る。
【０１５４】
図７は、本発明の第五態様による影偏光ディスプレイ装置５０００を示す。
【０１５５】
本発明の第五態様による場合、まず、光源８１と前記光源８１の前方に配置された第１偏光手段８３を含んで構成され、偏光した光を放出する偏光光源８０が提供されている。
【０１５６】
また、本発明による場合、前記の偏光光源８０から離隔して配置された装飾またはサイン部材５５が提供されている。
【０１５７】
前記装飾またはサイン部材５５は、ディスプレイの目的に合わせて装飾のために使用されたり、または情報伝達のためのサイン（ｓｉｇｎ）のために使用されるものであって、例えば、文様やロゴの形態を有したり、ブランドまたは文字などの形態を有し、美感を形成するための装飾または情報伝達のためのサインのために用いることができるものをいう。
【０１５８】
これらの装飾またはサイン部材５５は、通常、多数の要素から成り立つ。例えば、ブランドは、ロゴと個々の文字が集まって成り立つが、これらのロゴと個々の文字のすべてまたは一部が前記装飾またはサイン部材５５を成すことができる。
【０１５９】
このような装飾またはサイン部材５５は、糸にぶら下げて設置するなど支持手段によって特定の空間に位置することができる。
【０１６０】
本発明によれば、前記装飾またはサイン部材５５は、前記偏光光源８０から放出される光を受ける第１面５５３１と前記第１面５５３１に入射した光が透過して出ていく第２面５５３２を有する第２偏光手段５５３と、前記第２偏光手段５５３の第１面５５３１に設置された第１複屈折媒質５５１１と、前記第２偏光手段５５３の第２面５５３２に設置された第２複屈折媒質５５１２を含んで成り立つ。
【０１６１】
前記第２偏光手段５５３の第１面５５３１と第２面５５３２は、平面または曲面を成すことができる。
【０１６２】
また、本発明による場合、前記の偏光光源８０から放出され、前記装飾またはサイン部材５５の前記第１複屈折媒質５５１１に入射して、前記第２複屈折媒質５５１２に透過して出ていく光が照らして、前記偏光光源８０の光による前記装飾またはサイン部材５５の影が投影される影投影手段６７が提供される。
【０１６３】
前記影投影手段６７は、前述した反射手段と同じものであって乱反射を成すことが好ましいが、必ずしもそれに限定されるわけではないのは、前述した通りである。
【０１６４】
前記影投影手段６７は、前記装飾またはサイン部材５５と離隔して位置している。
【０１６５】
このような本発明によれば、前記影投影手段６７に投影された前記装飾またはサイン部材５５の影はカラーを表わすようになり、また、前記装飾またはサイン部材５５の第２偏光手段５５３は、カラーを表わすようになって、このようにカラーを表わす前記装飾またはサイン部材５５とその影の組み合わせが、本発明によるディスプレイの対象となる。
【０１６６】
本発明によれば、前記装飾またはサイン部材５５の複屈折媒質５５３１、５５３２は、複屈折特性がないか少ない透明部材に複屈折特性を有するフィルム、シート、板状の部材を結合し成り立ち得る。
【０１６７】
一方、本発明による場合、前記の装飾またはサイン部材５５をなす複屈折媒質５５３１、５３２は、セロハンフィルムか、またはＰＰ、ＰＥＴ、またはＰＣを材質としたフィルム、シート、または板であり得る。
【０１６８】
この場合、前記装飾またはサイン部材５５で、経路１による部分と経路２による部分は光の経路が異なることによって異なるカラーを表わし、経路３は影が見えるようになる光の経路である。ここで、光の経路１による部分は装飾またはサイン部材５５が、その影が重ならない部分であり、経路２による部分は装飾またはサイン部材５５が、その影が重なる部分になる。この場合、装飾またはサイン部材５５は、影と重なる部分とそうでない部分のカラーが異なって表われ、その後方で影のカラーは異なって表われる。
【０１６９】
図８は、本発明の第六態様による影偏光ディスプレイ装置６０００を示す。
【０１７０】
本発明の第六態様による場合、まず、光源８１と前記光源８１の前方に配置された第１偏光手段８３を含んで構成され、偏光した光を放出する偏光光源８０が提供される。
【０１７１】
また、本発明は、前記偏光光源８０がオフの時に提供される光源８１’が提供される。これは後述するように、自然光であることが好ましい。
【０１７２】
また、本発明による場合、前記の偏光光源８０または光源８１’から離隔して配置された装飾またはサイン部材５６が提供されている。
【０１７３】
前記装飾またはサイン部材５６は、ディスプレイの目的に合わせて装飾のために使用されたり、または情報伝達のためのサイン（ｓｉｇｎ）のために使用されるものであって、例えば、文様やロゴの形態を有したり、ブランドまたは文字などの形態を有し、美感を形成するための装飾または情報伝達のためのサインのために用いることができるものをいう。
【０１７４】
これらの装飾またはサイン部材５６は、通常、多数の要素から成り立つ。例えば、ブランドは、ロゴと個々の文字が集まって成り立つが、これらのロゴと個々の文字のすべてまたは一部が前記装飾またはサイン部材５６を成すことができる。
【０１７５】
このような装飾またはサイン部材５６は、糸にぶら下げて設置するなど支持手段によって特定の空間に位置することができる。
【０１７６】
本発明によれば、前記装飾またはサイン部材５６は、前記偏光光源８０または光源８１’から放出された光を受ける第１面５６１１と前記第１面５６１１に入射した光が透過して出ていく第２面５６１２を有する複屈折媒質５６１と、前記複屈折媒質５６１の第１面５６１１に設置された第２偏光手段５６３を含んで成り立つ。
【０１７７】
前記複屈折媒質５６１の第１面５６１１と第２面５６１２は、平面または曲面を成すことができる。
【０１７８】
また、本発明による場合、偏光、影投影手段６０が設置され、これは前述した実施形態での偏光影投影手段と同じものである。本実施例の場合、反射手段６７の前面に第３偏光手段６４が設けられている。
【０１７９】
前記影投影手段６０は、前記装飾またはサイン部材５６と離隔して位置している。
【０１８０】
このような場合、まずその前記偏光光源８０がオフになった場合は、光源８１’によってディスプレイを成すものであり、この場合は、実質的に、本発明の第二態様による場合と同じになる。
【０１８１】
したがって、本発明の第五態様による場合、夜間には、前記偏光光源８０によるディスプレイ効果を利用し、昼間には、前記偏光光源８０をオフにして自然光の光源８１’によるディスプレイ効果として、前述した本発明の第二態様による効果を得ることができる。
【０１８２】
以下は、偏光光源８０によるディスプレイ効果を説明する。
【０１８３】
この場合、まず、偏光影投影手段６０は、前記偏光光源８０から放出され、前記装飾またはサイン部材５６の第１偏光手段５６３に入射し、前記第２面５６１２に透過して出ていく光が照らして、前記偏光光源８０の光による前記装飾またはサイン部材５６の影が投影される。
【０１８４】
また、前記偏光影投影手段６０は、前記偏光光源８０から放出され、直接入射した光の一部を、前記装飾またはサイン部材５６の第２面５６１２に偏光させて反射する。
【０１８５】
このような本発明によれば、前記偏光影投影手段６０に投影された前記装飾またはサイン部材５６の影は、前記装飾またはサイン部材５６の形態を持ちながらカラーを帯びるようになる。この場合の光の経路は、図１４に３で表示されている。
【０１８６】
また、前記装飾またはサイン部材５６もカラーを有するようになる。つまりその第２偏光手段５６３でカラーを表わすようになる。
【０１８７】
この場合の光の経路は、前記偏光光源８０から偏光影投影手段６０に直接入射し、反射した光が前記第２面５６１２に入射して、前記第１偏光手段５６３を透過する場合（図の１の経路）と前記装飾またはサイン部材５６を透過した後、前記偏光影投影手段６０に入射して、反射した光が前記第２面５６１２に入射し、前記第１偏光手段５６３を透過する場合（図の２の経路）があり得るが、これらの経路によって前記第１偏光手段５６３に表われるカラーは異なっている。
【０１８８】
本発明の第六態様による場合、前記装飾またはサイン部材５６とその影がディスプレイ要素を成し、これらの組み合わせによるものがディスプレイを成すことになる。
【０１８９】
特に、本発明の第六態様による場合、前記第１偏光手段８３と前記第２偏光手段５６３と前記第３偏光手段６４の偏光方向を調整して、様々な効果を得ることができる。つまり、これらの偏光手段８３、５６３、６４の偏光方向を調整して、互いに異なるディスプレイ効果を得ることができる。
【０１９０】
本発明によれば、前記装飾またはサイン部材５６の複屈折媒質５６１は、複屈折特性がないか少ない透明部材に複屈折特性を有するフィルム、シート、板状の部材を結合して成り立ち得る。
【０１９１】
一方、本発明による場合、前記の装飾またはサイン部材をなす複屈折媒質５６１は、セロハンフィルムか、またはＰＰ、ＰＥＴ、またはＰＣを材質としたフィルム、シート、または板であり得る。
【０１９２】
図９は、本発明の第七態様による影偏光ディスプレイ装置７０００を示す。
【０１９３】
この場合、本発明によれば、光源８１と前記光源８１の前方に配置された第１偏光手段８３を含んで構成され、偏光した光を放出する偏光光源８０が提供される。
【０１９４】
また、本発明による場合、前記の偏光光源８０から離隔して配置された装飾またはサイン部材５７が提供される。
【０１９５】
前記装飾またはサイン部材５７は、前記偏光光源８０から放出される光を受ける第１面５７１１と前記第１面５７１１の光が透過して出ていく第２面５７１２を有する第１複屈折媒質５７１と前記第１複屈折媒質５７１の第２面５７１２に設置された第２偏光手段５７３を有する。前記第１複屈折媒質５７１の第１面５７１１と第２面５７１２は、平面または曲面を成すことができる。
【０１９６】
また、本発明によれば、影投影手段６００が提供され、これは反射手段６７と前記反射手段６７の前面に付着された第２複屈折媒質６１とからなる。
【０１９７】
前記反射手段６７は、前述したものと同じもので乱反射を成すことが好ましい。
【０１９８】
前記影投影手段６００は、前記装飾またはサイン部材５７と離隔されている。
【０１９９】
このような影投影手段６００は、前記偏光光源８０から放出され、前記装飾またはサイン部材５７の前記第１面５７１１に入射して、前記第２偏光手段５７３を透過して出ていく光が照らし、前記偏光光源８０の光による前記装飾またはサイン部材５７の影が投影される。
【０２００】
また、前記影投影手段６００は、前記偏光光源８０から放出され、直接入射した光の一部を、前記装飾またはサイン部材５７の第２偏光手段５７３に反射する。
【０２０１】
このような本発明によれば、前記影投影手段６００に投影された前記装飾またはサイン部材５７の影はカラーを表わしまた、前記装飾またはサイン部材５７の第２偏光手段５７３は、色相を呈するようになり、このようにカラーを表わす前記装飾またはサイン部材５７と前記装飾またはサイン部材５７の影がなす組み合わせがディスプレイの対象となることになる。
【０２０２】
本発明の第七態様による場合、前記装飾またはサイン部材５７は、第１複屈折媒質５７１を有し、また、前記影投影手段６００は、第２複屈折媒質６１を有する。
【０２０３】
これによって、前記偏光光源８０から放出され、第１複屈折媒質５７１と第２偏光手段５７３を通過した光が前記影投影手段６００に投影され、装飾またはサイン部材５７のカラーを有する影が形成されるのであり、また、前記偏光光源８０から放出され、前記影投影手段６００の第２複屈折媒質６１を経由して、反射した光が前記装飾またはサイン部材５７の第２偏光手段５７３を通過して、前記装飾またはサイン部材５７の第２偏光手段５７３が、カラーを帯びるようになるのである。
【０２０４】
本発明によれば、前記装飾またはサイン部材５１、５２、５３、５４、５５、５６、５７に対して、これらが動きをなすようにする運動手段を提供することができる。
【０２０５】
たとえば、装飾またはサイン部材５１、５２、５３、５４、５５、５６、５７をモータなどの動力手段と連結して、任意の軸を中心に回転させたり、スイング（ｓｗｉｎｇ）などの多様な運動をするようにすることができる。回転の場合、例示的に、左右に反復して回転をなしたり、光源の光の進行方向を軸にして回転を成すことができる。
【０２０６】
このような場合、前記装飾またはサイン部材５１、５２、５３、５４、５５、５６、５７のカラーを有する影は、そのカラーが変化を成すようになる。これは、光の経路上、前記装飾またはサイン部材５１、５２、５３、５４、５５、５６、５７が有する複屈折媒質の特性が変化するためである。もちろん、この場合、運動する装飾またはサイン部材の影も運動を成すようになる。つまり影が運動をしながら、そのカラーが変化する独特なディスプレイを演出することができるようになるのである。
【０２０７】
一方、前記の装飾またはサイン部材５１、５２、５３、５４、５５、５６、５７が、カラーを帯びるようになる場合、前記装飾またはサイン部材５１、５２、５３、５４、５５、５６、５７が帯びるようになるカラーも変化を成すようになるのである。
【０２０８】
このように、本発明は、装飾やサインをなす部材を提供し、これらの装飾やサインをなす部材が影を生成しながら、前記装飾またはサイン部材の影が光源や装飾またはサイン部材のカラー性とは関係なしに、カラーを帯びるようにし、また、前記装飾またはサイン部材が光源のカラー性とは関係なしに、カラーを帯びるようにする影偏光ディスプレイ装置を提供する。
【図１】
2016509251.tif 000003
【図２】
2016509251.tif 000004
【図３】
2016509251.tif 000005
【図４】
2016509251.tif 000006
【図５】
2016509251.tif 000007
【図６】
2016509251.tif 000008
【図７】
2016509251.tif 000009
【図８】
2016509251.tif 000010
【図９】
2016509251.tif 000011
【国際調査報告】
2016509251.tif 000012
2016509251.tif 000013
2016509251.tif 000014
2016509251.tif 000015